(57)【要約】【課題】本発明の目的は、外観意匠の統一感を高めて設計自由度を向上させるとともに、設置作業の作業性を向上させることができる吐水装置、浴室、及び、吐水装置の取付方法を提供することにある。【解決手段】吐水装置１０は、設置対象部に設置されるとともに給水管２２から供給された湯水を吐水する。この吐水装置は、給水管に端部８９が接続されることで湯水を通水可能な配管部３１Ｆと、配管部に連結されて湯水を吐水する吐水部３１と、設置対象部に取り付け可能なカバー部３３と、を備え、配管部がカバー部の内側に収容される収容状態と、配管部の端部がカバー部から突出する突出状態と、が切り替え可能に構成されている。【選択図】図１２
2016002241.tif 000002
【特許請求の範囲】
【請求項１】
設置対象部に設置されるとともに給水管から供給された湯水を吐水する吐水装置であって、
前記給水管に端部が接続されることで湯水を通水可能な配管部と、
前記配管部に連結されて湯水を吐水する吐水部と、
前記設置対象部に取り付け可能なカバー部と、を備え、
前記配管部が前記カバー部の内側に収容される収容状態と、前記配管部の前記端部が前記カバー部から突出する突出状態と、が切り替え可能に構成されていることを特徴とする吐水装置。
【請求項２】
前記配管部は、前記吐水部に連結される第一配管と、前記給水管に接続される第二配管と、を有し、該第一配管に対して該第二配管が管軸方向に沿って進退自在に支持されていることを特徴とする請求項１に記載の吐水装置。
【請求項３】
前記設置対象部に設けられて前記カバー部を支持する支持部をさらに備え、
前記支持部は、前記カバー部をスライドさせつつ取り付け可能なレール部を有するとともに、該レール部によるスライド方向と前記カバー部に対する前記配管部の突没方向とが平行に設けられていることを特徴とする請求項１又は２に記載の吐水装置。
【請求項４】
前記カバー部は、前記配管部と前記給水管との接続作業が実施可能な作業位置と、前記設置対象部に対して所定の取付状態となる取付位置と、に亘って前記支持部に対してスライド可能に設けられ、
前記支持部及び前記カバー部には、該カバー部が前記作業位置及び取付位置の少なくとも一方の位置にて位置決めする位置決め手段が設けられていることを特徴とする請求項３に記載の吐水装置。
【請求項５】
前記設置対象部である天井面又は壁面に請求項１〜４のいずれか一項に記載の吐水装置としてのオーバーヘッドシャワーが設けられたことを特徴とする浴室。
【請求項６】
請求項１〜４のいずれか一項に記載の吐水装置を設置対象部に取り付ける吐水装置の取付方法であって、
前記配管部の端部を前記カバー部から突出させた突出状態にて該配管部と前記給水管とを接続してから、
前記カバー部を移動させて該カバー部の内側に前記配管部を収容した収容状態とし、該カバー部を前記設置対象部に取り付けることを特徴とする吐水装置の取付方法。
【発明の詳細な説明】
【技術分野】
【０００１】
本発明は、吐水装置、浴室、及び、吐水装置の取付方法に関する。
【背景技術】
【０００２】
従来、ユニットバス等の浴室ユニットに設置されるシャワー装置が提案されている（例えば、特許文献１参照）。特許文献１に記載されたシャワー装置は、浴室壁面に取り付けられるシャワー本体と、このシャワー本体の上部から突出して設けられるオーバーヘッド吐水部と、を備えて構成されている。シャワー本体は、浴室壁面に沿って上下に延びる長尺状のケースを有し、このケース内部に給水、給湯配管や各種バルブ類等が収容され、ケースの前面側に各種の操作部が設けられている。このように特許文献１に記載されたシャワー装置では、ケースによって内部の機能部を覆うことで、シャワー本体の意匠性が高められている。
【０００３】
また、オーバーヘッド吐水部は、使用者に向けて頭上から下向きにシャワー水を噴射するもので、ケース表面側からほぼ水平に延び出したパイプと、パイプの先端部に取り付けられた円盤状の散水板を有して構成されている。パイプの基端部は、ケース内部の配管に接続されるとともにケースを貫通して前面側に突出する継手に接続され、このパイプと継手とは、袋ナットで互いに連結されるとともに、この連結部が化粧リングを兼ねた固定用リングで覆われている。
【先行技術文献】
【特許文献】
【０００４】
【特許文献１】特許第５１５３３７７号公報
【発明の概要】
【発明が解決しようとする課題】
【０００５】
しかしながら、特許文献１に記載されたような従来のシャワー装置では、カバーによってケース本体の意匠性は高められるものの、オーバーヘッド吐水部におけるパイプや固定用リングが露出するため、ケース本体の外観意匠に対してオーバーヘッド吐水部の意匠が相違したものになっている。このため、従来のシャワー装置では、外観意匠の統一感が阻害されるとともに、設計の自由度を高めることが難しい。さらに、従来のシャワー装置では、オーバーヘッド吐水部のパイプの基端部を袋ナットで継手に接続してから、さらに固定用リングを締め付ける必要があり、固定作業の作業性が劣るという不都合もあった。
【０００６】
本発明の目的は、外観意匠の統一感を高めて設計自由度を向上させるとともに、設置作業の作業性を向上させることができる吐水装置、浴室、及び、吐水装置の取付方法を提供することにある。
【課題を解決するための手段】
【０００７】
本発明の吐水装置は、設置対象部に設置されるとともに給水管から供給された湯水を吐水する吐水装置であって、前記給水管に端部が接続されることで湯水を通水可能な配管部と、前記配管部に連結されて湯水を吐水する吐水部と、前記設置対象部に取り付け可能なカバー部と、を備え、前記配管部が前記カバー部の内側に収容される収容状態と、前記配管部の前記端部が前記カバー部から突出する突出状態と、が切り替え可能に構成されていることを特徴とする。
【０００８】
以上のような本発明によれば、設置対象部に取り付け可能なカバー部の内側に収容状態とした配管部が収容可能に構成されているので、カバー部を設置対象部に取り付けた設置状態においては、配管部がカバー部に覆われて隠蔽されることとなる。従って、吐水装置の外観としては、カバー部のデザインを種々選択することによって意匠を統一することができ、設計自由度を向上させることができる。さらに、配管部の端部をカバー部から突出させた突出状態とすることで、この配管部と給水管との接続作業を容易に実施することができ、設置作業の作業性を向上させることができる。
【０００９】
この際、本発明の吐水装置では、前記配管部は、前記吐水部に連結される第一配管と、前記給水管に接続される第二配管と、を有し、該第一配管に対して該第二配管が管軸方向に沿って進退自在に支持されていることが好ましい。
【００１０】
この構成によれば、第一配管に対して第二配管が管軸方向に沿って進退自在に支持された配管部を備えることで、第二配管を直線的に進退移動させるだけで容易に収容状態と突出状態とを切り替えることができ、給水管への接続作業からカバー部の設置作業に迅速に移行できて作業性をさらに向上させることができる。また、収容状態において、第一配管と第二配管とが重なって配管部の全長が短縮されることで、配管部を収容するために必要なカバー部内部のスペースが削減でき、吐水装置が大型化することが防止できる。
【００１１】
また、本発明の吐水装置では、前記設置対象部に設けられて前記カバー部を支持する支持部をさらに備え、前記支持部は、前記カバー部をスライドさせつつ取り付け可能なレール部を有するとともに、該レール部によるスライド方向と前記カバー部に対する前記配管部の突没方向とが平行に設けられていることが好ましい。
【００１２】
この構成によれば、設置対象部に設けられる支持部がレール部を有し、このレール部に沿ってスライドさせつつカバー部が取り付け可能であることで、カバー部の設置作業を円滑に実施することができる。さらに、レール部によるカバー部のスライド方向と、カバー部に対する配管部の突没方向と、が平行に設けられているので、カバー部の設置作業に伴って配管部の端部をカバー部に収容することができ、設置作業における工数を削減して作業性をより一層高めることができる。
【００１３】
さらに、本発明の吐水装置では、前記カバー部は、前記配管部と前記給水管との接続作業が実施可能な作業位置と、前記設置対象部に対して所定の取付状態となる取付位置と、に亘って前記支持部に対してスライド可能に設けられ、前記支持部及び前記カバー部には、該カバー部が前記作業位置及び取付位置の少なくとも一方の位置にて位置決めする位置決め手段が設けられていることが好ましい。
【００１４】
この構成によれば、カバー部が作業位置や取付位置において位置決め手段によって位置決めされることで、配管部と前記給水管との接続作業や設置対象部に対するカバー部の取付作業を容易に実施することができ、作業性を向上させることができる。
【００１５】
また、本発明の浴室は、前記設置対象部である天井面又は壁面に請求項１〜４のいずれか一項に記載の吐水装置としてのオーバーヘッドシャワーが設けられたことを特徴とする。
【００１６】
このような本発明のオーバーヘッドシャワーによれば、前記吐水装置と同様に、浴室天井面に設けられるカバー部の設計自由度を向上させることができるとともに、設置作業の作業性を向上させることができる。また、このような本発明の浴室によれば、オーバーヘッドシャワーの設計自由度が高まることで、浴室全体としての意匠を統一することができ、浴室空間の快適性を向上させることができる。
【００１７】
また、本発明の吐水装置の取付方法は、前記いずれかの吐水装置を設置対象部に取り付ける吐水装置の取付方法であって、前記配管部の端部を前記カバー部から突出させた突出状態にて該配管部と前記給水管とを接続してから、前記カバー部を移動させて該カバー部の内側に前記配管部を収容した収容状態とし、該カバー部を前記設置対象部に取り付けることを特徴とする。
【００１８】
このような本発明の吐水装置の取付方法によれば、前記吐水装置と同様に、配管部の端部をカバー部から突出させた突出状態において、この配管部と給水管との接続作業を容易に実施することができる。さらに、カバー部を移動させて配管部を収容した収容状態とし、このカバー部を設置対象部に取り付けるだけで配管部を隠蔽することができるので、カバー部の設置作業の作業性を向上させることができる。
【発明の効果】
【００１９】
以上のような本発明の吐水装置、浴室、及び、吐水装置の取付方法によれば、カバー部によって収容状態の配管部が覆われるので、外観意匠の統一感を高めて設計自由度を高めることができるとともに、突出状態とした配管部と給水管との接続作業が容易になることで、設置作業の作業性を向上させることができる。
【図面の簡単な説明】
【００２０】
【図１】本発明の実施形態に係る浴室の一部を省略して示す斜視図である。
【図２】前記浴室に設けられるシャワー装置を示す斜視図である。
【図３】前記シャワー装置のオーバーヘッドシャワーを示す分解斜視図である。
【図４】前記オーバーヘッドシャワーの吐水部材を上方から見た斜視図である。
【図５】前記吐水部材を下方から見た斜視図である。
【図６】前記吐水部材を示す分解斜視図である。
【図７】図４中のＩ−Ｉ線に沿う断面を拡大して示す図であり、（Ａ）は、第二配管が第一配管に対して押し込まれた状態を示す図であり、（Ｂ）は、第二配管が第一配管に対して引き出された状態を示す図である。
【図８】前記オーバーヘッドシャワーの支持部を示す斜視図である。
【図９】前記オーバーヘッドシャワーのカバー部を示す分解斜視図である。
【図１０】前記オーバーヘッドシャワーの天井筐体を上方から見た平面図である。
【図１１】前記オーバーヘッドシャワーの取付手順を示す断面図であり、（Ａ）は、支持部が設置対象部に取り付けられた状態を示す図であり、（Ｂ）は、カバー部が作業位置に位置した状態を示す図であり、（Ｃ）は、カバー部が取付位置に移動した状態を示す図である。
【図１２】前記オーバーヘッドシャワーの取付手順を上方から見た平面図であり、（Ａ）は、配管部が、カバー部から突出する突出状態を示す図であり、（Ｂ）は、配管部と給水管とが接続される様子を示す図であり、（Ｃ）は、配管部が、カバー部内に収容される収容状態を示す図である。
【図１３】本発明の変形例に係る吐水装置を示す斜視図であり、（Ａ）は、配管部が、カバー部から突出する突出状態を示す図であり、（Ｂ）は、配管部が、カバー部内に収容される収容状態を示す図である。
【図１４】本発明の他の変形例に係る吐水装置を示す斜視図であり、（Ａ）は、配管部が、カバー部から突出する突出状態を示す図であり、（Ｂ）は、配管部が、カバー部内に収容される収容状態を示す図である。
【発明を実施するための形態】
【００２１】
以下、本発明の実施形態を図面に基づいて説明する。本実施形態の浴室ユニット（浴室）１は、図１、２に示すように、それぞれ複数の壁パネル２及び天井パネル３と、洗い場床（防水パン）４、浴槽用防水パンに支持される浴槽５と、図示しない浴室出入口や窓等と、を備え、これらによって区画された浴室空間１Ａを構成するものである。壁パネル２及び天井パネル３は、それぞれ浴室空間１Ａ内部側に適宜な化粧面を有する鋼板と、この鋼板の裏面に貼付される石膏ボードと、を有した鋼板パネルで構成され、図示しない下地材（骨組）に固定されている。浴室ユニット１の内部には、シャワー装置１０と、ベンチカウンター６と、が設けられている。
【００２２】
シャワー装置１０は、浴槽５から洗い場を挟んで反対側の浴室内壁面２Ａに設けられる装置本体１１と、この装置本体１１の下端部に設けられるカラン部１２と、装置本体１１の側面に接続されるハンドシャワー部１３と、装置本体１１の上部に接続されて洗い場上方の浴室天井面３Ａに設けられるオーバーヘッドシャワー部１４と、オーバーヘッドシャワー部１４に隣り合って天井パネル３に設けられる打たせ湯部１５と、を備えて構成されている。
【００２３】
装置本体１１は、壁パネル２の浴室内壁面２Ａに取り付けられる壁面筐体２１と、この壁面筐体２１の内部に設けられる給湯配管やバルブ等（不図示）と、を備えて構成されている。給湯配管は、浴室空間１Ａの外部（屋外）に設けられた給湯器などに接続されるとともに、適宜な混合バルブに接続されてから分岐管によって分岐され、切替バルブを介してカラン部１２、ハンドシャワー部１３、オーバーヘッドシャワー部１４及び打たせ湯部１５にそれぞれ接続されている。
【００２４】
壁面筐体２１は、上下方向に細長い中空箱型に形成されるとともに、浴室内壁面２Ａに設けられる図示しない複数のブラケットに固定されている。この壁面筐体２１の下部側は、浴室内壁面２Ａからの出寸法が大きく形成され、その表面に複数（本実施形態では、４つ）の操作部２４が設けられている。壁面筐体２１の上部側は、浴室内壁面２Ａからの出寸法が小さく形成され、その内部にオーバーヘッドシャワー部１４及び打たせ湯部１５に接続される給水管２２，２３（図３参照）が通されている。
【００２５】
また、壁面筐体２１は、図３に示すように、その上端が、浴室天井面３Ａから所定寸法分だけ離間して設けられ、給水管２２，２３の接続部分を露出させている。そして、露出した給水管２２，２３の接続部分は、浴室天井面３Ａに沿って、浴室内壁面２Ａから離れる方向に壁面筐体２１から突出して設けられている。
【００２６】
操作部２４のうち、最下段の操作部２４は混合バルブに接続された湯温調整用の操作部であり、下から二番目の操作部２４はカラン部１２及びハンドシャワー部１３の切替バルブに接続されている。また、上から二番目の操作部２４はオーバーヘッドシャワー部１４の切替バルブに接続され、最上段の操作部２４は打たせ湯部１５の切替バルブに接続されている。
【００２７】
カラン部１２は、壁面筐体２１の底面部に設けられて下方に吐水可能に設けられ、下から二番目の操作部２４によって吐水操作されるものである。ハンドシャワー部１３は、壁面筐体２１の側面から突出する継手に接続されたシャワーホース１３Ａと、このシャワーホース１３Ａの先端に設けられたシャワーヘッド１３Ｂと、壁面筐体２１の側面上部に設けられたシャワーフック１３Ｃと、を有し、下から二番目の操作部２４によって吐水操作できるように構成されている。
【００２８】
オーバーヘッドシャワー部１４は、図３〜１２にも示すように、給水管２２に接続されて複数の吐水口を有する吐水部としての吐水部材３１と、天井パネル３の浴室天井面３Ａに固定された支持部としてのスライドブラケット３２と、吐水部材３１を覆うとともにスライドブラケット３２を介して天井パネル３の浴室天井面３Ａ側に取り付けられるカバー部としての天井筐体３３と、を備えて構成されている。このオーバーヘッドシャワー部１４は、上から二番目の操作部２４によって吐水操作され、吐水部材３１に設けられた後述する複数の散水孔６３から湯水を散水するように構成されている。
【００２９】
打たせ湯部１５は、図３にも示すように、天井パネル３に設けられて浴室空間１Ａ内に開口する吐水口１５Ａを有する吐水部材１５Ｂと、天井パネル３の天井裏面に沿って延び吐水部材３１に一端部が接続される天井裏給水管１５Ｃ（図１１参照）と、天井パネル３を貫通して天井裏給水管の他端に接続される給水管接続部１５Ｄと、を備えて構成されている。給水管接続部１５Ｄは、継手を介して給水管２３に接続されている。この打たせ湯部１５は、最上段の操作部２４によって吐水操作され、吐水口１５Ａから間欠的に湯水を落下させるように構成されている。
【００３０】
以下、オーバーヘッドシャワー部１４の構造を図３〜１２を参照して詳しく説明する。吐水部材３１は、図４〜７に示すように、上側に位置する吐水部材本体３１Ａと、下側に位置して吐水部材本体３１Ａに固定される保持部材３１Ｂと、保持部材３１Ｂの内側に保持されるとともに吐水部材本体３１Ａとの間に通水空間を形成する散水板３１Ｃと、通水空間に設けられて散水板３１Ｃを上側から押える散水板押え部材３１Ｄと、通水空間にて散水板押え部材３１Ｄの上側に設けられる吸気部材３１Ｅと、を備えて構成されている。吐水部材本体３１Ａは、浴室内壁面２Ａから離れる方向に長い全体矩形板状に形成されるとともに、その長手方向の一端部（浴室内壁面２Ａ側の端部）に配管部３１Ｆを有して構成されている。
【００３１】
吐水部材本体３１Ａは、それぞれ合成樹脂成型部品で構成される上本体４１及び下本体４２を有して構成され、これらの上本体４１と下本体４２との間に封止材が介装されることで、内部に給水空間が形成されている。上本体４１には、配管部３１Ｆから吐水部材本体３１Ａの略中央部まで延びるトンネル部４３が形成され、このトンネル部４３の内面と下本体４２との間に給水空間が形成されている。また、下本体４２には、その下面略中央部に連通孔（不図示）が形成されるとともに、その一端部に配管部３１Ｆの第一配管８１が一体に形成され、給水空間と第一配管８１とが連通されている。吐水部材本体３１Ａの長手方向の二辺には、複数のビス挿通孔４４が並設され、これらのビス挿通孔４４に挿通させたビス４５を保持部材３１Ｂに螺合させることで、吐水部材本体３１Ａと保持部材３１Ｂとが固定されるようになっている。
【００３２】
保持部材３１Ｂは、合成樹脂製の一体成形部品であって、吐水部材本体３１Ａの下方に対向する底面部５１と、底面部５１の四辺を囲んで立ち上がる枠部５２と、底面部５１の略中央に設けられる円筒状の吸気部５３と、を有して形成されている。底面部５１の内面（上面）は、枠部５２に沿った四周の平坦部５４と、この平坦部５４の内側で下方に向かって凹状に湾曲した湾曲部５５と、を有して形成され、この湾曲部５５には、散水板３１Ｃの散水突部６２を挿通させるとともに保持する複数の保持孔５６が設けられている。複数の保持孔５６は、それぞれアーチ状の湾曲部５５の法線方向に沿って形成されている。枠部５２のうち長手方向の二辺には、複数のビス螺合部５７が形成され、それらのビス螺合部５７にビス４５が螺合されるようになっている。
【００３３】
散水板３１Ｃは、弾性部材としてのゴム製成形部品であって、長尺板状の散水板本体６１と、この散水板本体６１の下面（保持部材３１Ｂ側の面）から突出した複数かつ円柱状の散水突部６２と、各々の散水突部６２を貫通して散水板本体６１の上下面を連通させる散水孔６３と、散水板本体６１の略中央部に設けられて保持部材３１Ｂの吸気部５３が挿通される挿通部６４と、を有して形成されている。この散水板３１Ｃは、複数の散水突部６２がそれぞれ保持部材３１Ｂの保持孔５６に挿通されて保持されることで、散水板本体６１が保持部材３１Ｂの湾曲部５５に沿ってアーチ状に湾曲した状態で保持される。また、散水板本体６１の外周部が吐水部材本体３１Ａの下本体４２と保持部材３１Ｂの平坦部５４とに挟持され、これにより吐水部材本体３１Ａと保持部材３１Ｂ及び散水板３１Ｃとが水密に連結されることで、吐水部材本体３１Ａの下本体４２と散水板３１Ｃの上面との間に通水空間が形成されるようになっている。
【００３４】
散水板押え部材３１Ｄは、合成樹脂製の一体成形部品であって、吐水部材本体３１Ａの下本体４２と散水板３１Ｃの上面との間に形成された通水空間に設けられる。この散水板押え部材３１Ｄは、散水板３１Ｃの外形よりも一回り小さく形成された枠部７１と、略中央部に形成されて保持部材３１Ｂの吸気部５３が挿通される挿通部７２と、枠部７１と挿通部７２とを連結して設けられて散水板３１Ｃを上方から保持部材３１Ｂに向かって押える押え部７３と、を有して形成されている。押え部７３は、挿通部７２から吐水部材本体３１Ａの長手方向左右に延びて設けられるとともに、複数個所で枠部７１に連結されている。この押え部７３の下面には、散水板本体６１の上面に当接可能な複数の突部７４が形成されている。このような散水板押え部材３１Ｄは、挿通部７２がＯリングを介して保持部材３１Ｂの吸気部５３に支持されるとともに、枠部７１及び押え部７３が通水空間の内部で上下に移動可能に取り付けられるようになっている。
【００３５】
吸気部材３１Ｅは、保持部材３１Ｂの吸気部５３に挿通されて取り付けられるとともに、吐水部材本体３１Ａの給水空間と、吐水部材本体３１Ａと散水板３１Ｃとの間の通水空間と、を連通させる連通孔を塞ぐようにして設けられている。この吸気部材３１Ｅは、給水空間から通水空間へ供給される湯水に対し、吸気部５３から取り入れた外気を気泡として混合させ、気泡が入った湯水を通水空間へ送る機能を有したものである。
【００３６】
配管部３１Ｆは、図６、図７に示すように、吐水部材本体３１Ａの下本体４２に一体に形成された筒状の第一配管８１と、この第一配管８１に挿入されて装置本体１１の給水管２２に接続される第二配管８２と、第一配管８１に挿入した第二配管８２を抜け止めするためのクリップリング８３と、第二配管８２に取り付けられて、第一配管８１の内周面に密接するＯリング８４と、を有して構成されている。このような配管部３１Ｆは、第二配管８２が、第一配管８１に挿入されて、第一配管８１に対して第二配管８２が管軸方向にスライド可能に設けられている。配管部３１Ｆは、第二配管８２のスライド方向が、吐水部材本体３１Ａの長手方向に沿うように設けられている。以下では、吐水部材本体３１Ａの長手方向のうち、浴室内壁面２Ａに向かう方向を「前方」と記し、浴室内壁面２Ａから離れる方向を「後方」と記す場合がある。
【００３７】
第一配管８１は、その先端部に大径のフランジ部８５を有し、このフランジ部８５にクリップリング８３を挿入するためのスリット８５ａが形成されている。この第一配管８１は、内径が、何れの位置においても略等しい寸法となるように形成されている。
【００３８】
第二配管８２は、図７に示すように、筒状の配管本体８６と、Ｏリング８４を取り付けるＯリング取付部８７と、第一配管８１の前端面８１ａに当接する鍔状の当接部８８と、第二配管８２の前端部（先端部）に設けられて、給水管２２に接続される係合部８９（配管部の端部）と、を有して構成されている。
【００３９】
Ｏリング取付部８７は、配管本体８６の管軸方向の後端部において、互いに等間隔をあけて形成された３つの鍔状部８７Ａ、８７Ｂ、８７Ｃから構成されていて、隣接する鍔状部８７Ａ、８７Ｂ、８７Ｃ間の凹溝８７Ｄに、Ｏリング８４が取り付け可能に形成されている。各鍔状部８７Ａ、８７Ｂ、８７Ｃは、配管本体８６の外周面から径方向の外側に突出して形成されている。
【００４０】
当接部８８は、係合部８９の後方側に隣接する位置に設けられているとともに、配管本体８６の外周面から径方向の外側に突出して形成されている。当接部８８は、第一配管８１の前端面８１ａに当接可能なように、その外径寸法が、第一配管８１の内径寸法よりも大きい寸法となるように形成されている。
【００４１】
さらに、当接部８８の後方側には、配管本体８６をガイドするガイド部８８１が連続形成されている。このガイド部８８１は、配管本体８６の外周面から径方向の外側に突出して形成されているとともに、その出寸法が、当接部８８の出寸法よりも小さくなるように形成されている。そして、当接部８８が第一配管８１の前端面８１ａに当接した状態で、ガイド部８８１は、第一配管８１の内部に位置するように形成されている。こうして、ガイド部８８１は、第一配管８１の内部に位置した状態で、第二配管８２の前端部を、第一配管８１の径方向の中央部に位置決めしている。
【００４２】
クリップリング８３は、第二配管８２の配管本体８６を挟持する一対の挟持片８３１を有して、平面視がＣ字状に形成されている。このようなクリップリングは、第二配管８２が第一配管８１に挿入された状態で、第一配管８１のスリット８５ａに挿入され、第一配管８１と第二配管８２との径方向の隙間において、一対の挟持片８３１が配管本体８６を挟持している。そして、第二配管８２が第一配管８１に対して引き出された際に、第二配管８２のＯリング取付部８７の最も前方側に位置する鍔状部８７Ｃを、一対の挟持片８３１の後端面８３ａに当接させることで、第一配管８１に挿入した第二配管８２を抜け止めしている。
【００４３】
次に、配管部３１Ｆを組み立てる手順について、図６を参照して説明する。まず、第二配管８２のＯリング取付部８７にＯリング８４を取り付け、第二配管８２の後端を、第一配管８１の前端に近付けて挿入し、Ｏリング取付部８７がスリット８５ａよりも後方側に位置した状態で、クリップリング８３をスリット８５ａに挿入する。すると、クリップリング８３の一対の挟持片８３１により、第二配管８２の配管本体８６が挟持され、第一配管８１に挿入した第二配管８２が抜け止めされる。こうして配管部３１Ｆが組み立てられる。
【００４４】
このように組み立てられた配管部３１Ｆは、図７（Ａ）に示すように、第二配管８２が第一配管８１に対して後方に押し込まれて、当接部８８が第一配管８１の前端面８１ａに当接した押込み状態と、図７（Ｂ）に示すように、第二配管８２が第一配管８１に対して前方に引き出されて、Ｏリング取付部８７がクリップリング８３の後端面８３ａに当接した引出し状態と、にスライド可能に設けられている。こうして、第一配管８１に対して第二配管８２が管軸方向に沿って進退自在に支持され、即ち吐水部材本体３１Ａの長手方向に沿って第二配管８２がスライドすることで、配管部３１Ｆが伸縮可能に構成されている。
【００４５】
次に、吐水部材３１を組み立てる手順について、図６を参照して説明する。散水板３１Ｃ、散水板押え部材３１Ｄ及び吸気部材３１Ｅを取り付けた保持部材３１Ｂの上側に吐水部材本体３１Ａが重ねられ、吐水部材本体３１Ａのビス挿通孔４４に挿通させたビス４５を保持部材３１Ｂのビス螺合部５７に螺合させることで、吐水部材本体３１Ａと保持部材３１Ｂとが固定される。この後、第一配管８１に第二配管８２が取り付けられ、配管部３１Ｆが伸縮可能に構成されて、吐水部材３１が組み立てられる。
【００４６】
スライドブラケット３２は、図８に示すように、浴室内壁面２Ａから離れる方向に長尺状に形成されたブラケット本体３２Ａと、このブラケット本体３２Ａに固定される芯出しブラケット３２Ｂと、を有して構成されている。ブラケット本体３２Ａは、金属板材を折り曲げ加工して形成され、天井パネル３の浴室天井面３Ａに密接して固定される固定面部３２１と、この固定面部３２１の左右側端縁から立ち下がって外方に折れ曲がった左右各３つずつのレール部３２２と、を有して形成されている。芯出しブラケット３２Ｂは、装置本体１１の壁面筐体２１との位置決めを行うものであって、壁面筐体２１に対して位置決めした状態で浴室内壁面２Ａに固定されている。
【００４７】
ブラケット本体３２Ａの固定面部３２１には、６つのビス孔が形成されており、このビス孔に螺合するビスによって天井パネル３に固定される。また、ブラケット本体３２Ａの先端側には、固定面部３２１の下面から突出した円柱状のガイドピン３２３が固定されており、このガイドピン３２３が後述する天井筐体３３のガイド溝３３８に挿通されるとともに、位置決め部３３９によって係止されるようになっている。左右各３つずつのレール部３２２は、それぞれブラケット本体３２Ａの長手方向に沿った所定長さを有するとともに、断面Ｌ字形に形成されている。これらのレール部３２２は、後述する天井筐体３３の被案内片３３７を上下方向に係止するとともに水平方向、即ち前後方向にスライド案内することで、天井筐体３３を浴室内壁面２Ａに向かってスライド支持できるようになっている。
【００４８】
天井筐体３３は、装置本体１１が取り付けられる浴室内壁面２Ａから離れる方向に細長い全体直方体状かつ中空に形成され、その内部に吐水部材３１を収容するとともに、図９に示すように、浴室内に露出する筐体下部材３３Ａと、この筐体下部材３３Ａに固定される筐体上部材３３Ｂと、この筐体上部材３３Ｂに固定されるガイド部材３３Ｃと、を有して構成されている。この天井筐体３３は、筐体下部材３３Ａと筐体上部材３３Ｂ及びガイド部材３３Ｃとを組み合わせて固定することで、浴室内壁面２Ａ側（装置本体１１側）が開口した箱状に形成され、その内部に吐水部材３１を収容して保持できるように構成されている。
【００４９】
筐体下部材３３Ａは、金属板材を折り曲げ加工することにより、上側及び浴室内壁面２Ａ側（装置本体１１側）の二面が開口した溝状に形成されている。この筐体下部材３３Ａは、底面部３３１と、この底面部３３１における浴室内壁面２Ａ側以外の三方の端縁から上方に折れ曲がる３つの側面部３３２と、を有して形成されている。底面部３３１には、散水板３１Ｃの散水突部６２を挿通させる複数の貫通孔３３３が形成されている。この筐体下部材３３Ａの底面部３３１における浴室内壁面２Ａ側の端部には、装置本体１１の壁面筐体２１を受け入れるための開口部３３４が形成されている。また、筐体下部材３３Ａの内部には、筐体上部材３３Ｂをビス止め固定するための複数のブラケット３３５が設けられている。
【００５０】
筐体上部材３３Ｂは、金属板材を折り曲げ加工して形成され、筐体下部材３３Ａの上側の開口を塞ぐ上面部３３６と、この上面部３３６の左右側端縁から立ち上がって内方に折れ曲がった左右各３つずつの被案内片３３７と、を有して形成されている。上面部３３６には、４箇所の挿通孔が形成され、これらの挿通孔に挿通させたビスをブラケット３３５のビス孔に螺合させることで、上面部３３６が筐体下部材３３Ａに固定されるようになっている。左右各３つずつの被案内片３３７は、それぞれ天井筐体３３の長手方向に沿った所定長さを有するとともに、断面逆Ｌ字形に形成されており、これらの被案内片３３７がスライドブラケット３２のレール部３２２に案内されることで、図１１に示すように、天井筐体３３をスライドさせつつスライドブラケット３２に取り付けることができるようになっている。
【００５１】
ガイド部材３３Ｃは、図９に示すように、筐体上部材３３Ｂの後端側における上面部３３６に形成された切欠き部３３６Ａを塞いで固定される金属板材であって、このガイド部材３３Ｃには、スライドブラケット３２のガイドピン３２３を通過させるガイド溝３３８と、ガイドピン３２３を係止して天井筐体３３をスライドブラケット３２に位置決めする位置決め部（位置決め手段）３３９と、が設けられている。ガイド溝３３８は、その延在方向が、天井筐体３３がスライドブラケット３２にスライドする方向と同じ方向になるように延在形成されている。
【００５２】
ガイド溝３３８は、図１０に示すように、前後方向に沿って延在形成されていて、ガイドピン３２３を前後方向にガイドするように構成されている。位置決め部３３９は、図１０に示すように、ガイド部材３３Ｃの前後二箇所に設けられており、それぞれが一対のバネ部材３４、３４により構成され、一対のバネ部材３４、３４でガイドピン３２３を係止することにより天井筐体３３を位置決めするように構成されている。
【００５３】
前後の位置決め部３３９Ａ、３３９Ｂは、前方側、即ち浴室内壁面２Ａに近い側の位置決め部３３９Ａが、ガイドピン３２３を係止した状態において、ガイドピン３２３を有する天井筐体３３の前端が、図１２（Ｂ）に示すように、浴室内壁面２Ａから、所定距離だけ離間した位置（作業位置）に設けられている。ここで、所定距離とは、配管部３１Ｆと給水管２２、２３との接続作業が実施可能な距離のことである。また、位置決め部３３９Ａが、ガイドピン３２３を係止した状態、即ち天井筐体３３が作業位置に位置した状態で、引出し状態の配管部３１Ｆの前端部、即ち係合部８９が、天井筐体３３の最前端、即ち筐体下部材３３Ａの前端よりも、前方側に突出するように設けられている。このように配管部３１Ｆの係合部８９が、天井筐体３３の前端から突出した状態を「突出状態」と称する。なお、図１２では、筐体上部材３３Ｂの図示を省略している。
【００５４】
また、後方側、即ち位置決め部３３９Ａを挟んで浴室内壁面２Ａから離れた側の位置決め部３３９Ｂが、ガイドピン３２３を係止した状態において、ガイドピン３２３を有する天井筐体３３の前端が、図１２（Ｃ）に示すように、浴室内壁面２Ａに当接する位置（取付位置）に設けられている。また、位置決め部３３９Ｂが、ガイドピン３２３を係止した状態、即ち取付位置に位置した状態で、押込み状態の配管部３１Ｆの係合部８９が、天井筐体３３の最前端、即ち筐体下部材３３Ａの前端よりも、後方側に没するように設けられている。このように配管部３１Ｆの係合部８９が、天井筐体３３のよりも後方側に没するように設けられて天井筐体３３の内部に収容された状態を「収容状態」と称する。
【００５５】
前方側の位置決め部３３９Ａは、作業位置において天井筐体３３のガイドピン３２３を係止する、後方側の位置決め部３３９Ｂは、取付位置において天井筐体３３のガイドピン３２３を係止するような位置に形成されている。即ち、位置決め部３３９Ａと位置決め部３３９Ｂとは、天井筐体３３の作業位置から取付位置までの移動距離と同じ距離だけ離間して設けられている。
【００５６】
一対のバネ部材３４、３４は、図１０に示すように、互いの間にガイドピン３２３を通過可能とするように、ガイド溝３３８の溝幅方向に間隔をあけて設けられているとともに、ガイドピン３２３の通過方向、即ち前後方向の中間部に、ガイドピン３２３を係止するピン係止部３４２を有して構成されている。各バネ部材３４は、針金状のバネ材が曲げられて構成されたものであり、ガイドピン３２３の通過方向の両端部３４１、３４１が、ガイド溝３３８の延在方向に沿ってガイド部材３３Ｃに固定されているとともに、その中間部に向かうに従って徐々に幅を狭めるように曲げられ、ピン係止部３４２は、ガイドピン３２３を係止可能なように弧状に形成されている。ピン係止部３４２の両端部３４３、３４３は、一対のバネ部材３４、３４間において、その幅が最も狭くなるように形成されているとともに、その幅寸法が、ガイドピン３２３の外径寸法よりも僅かに小さくなるように形成されている。ピン係止部３４２は、その両端部３４３、３４３が、ガイド溝３３８の内縁よりもガイド溝３３８の内側に突出して設けられている。
【００５７】
次に、一対のバネ部材３４、３４間にガイドピン３２３を通過させる際の作用について説明する。ガイドピン３２３がガイド溝３３８に挿入された状態で、ガイドピン３２３をガイド溝３３８の前端から後方に移動する。ガイドピン３２３が、ピン係止部３４２の前方側の端部３４３に当接する。さらに移動するに伴って、ガイドピン３２３が、一対のバネ部材３４、３４を弾性変形させ、バネ部材３４、３４間の幅を押し拡げて、前方側の端部３４３を乗り上げ、乗り越えて、ピン係止部３４２にて係止される。一対のバネ部材３４、３４が弾性変形しない自然状態に復元する。同様の動作により、ガイドピン３２３が、ピン係止部３４２の後方側の端部３４３を乗り越えて、一対のバネ部材３４、３４が弾性変形しない自然状態に復元する。こうして、ガイドピン３２３が、一対のバネ部材３４、３４間を通過させる。
【００５８】
ここで、ガイドピン３２３を移動させる作業者、つまり、オーバーヘッドシャワー部１４を組み立てる作業者は、ガイドピン３２３を通過させる際に、一対のバネ部材３４、３４の間隔を押し拡げるように弾性変形させるために、一時的に大きな力を必要とする。例えば、ガイドピン３２３が位置決め部３３９Ａを通過される際には、ピン係止部３４２の前方側の端部３４３において、一時的に大きな力によって、一対のバネ部材３４、３４を弾性変形させ、再び、ピン係止部３４２の後方側の端部３４３において、再び大きな力によって、一対のバネ部材３４、３４を弾性変形させることとなる。このように、作業者は、ガイドピン３２３を位置決め部３３９Ａに通過させるために、断続的に大きな力が必要とされる。こうして、作業者は、直接目視していなくとも、ガイドピン３２３が、ピン係止部３４２の前方側の端部３４３に当接したこと、ピン係止部３４２に係止されたこと、ピン係止部３４２の後方側の端部３４３に当接したこと、そして、ガイドピン３２３が、一対のバネ部材３４、３４、即ち位置決め部３３９Ａ、３３９Ｂを通過されたことを感知することができる。このような位置決め部３３９Ａ、３３９Ｂは、作業者への通知手段として機能する。
【００５９】
続いて、オーバーヘッドシャワー部１４を組み立てる手順を、図１１、図１２を参照して説明する。
【００６０】
まず、図１１（Ａ）に示すように、スライドブラケット３２を、壁面筐体２１に対して位置決めした状態で、浴室内壁面２Ａ及び浴室天井面３Ａに、ビス止め固定する。筐体下部材３３Ａの内部に、組み立てられた吐水部材３１を収容して、筐体下部材３３Ａとガイド部材３３Ｃを固定した筐体上部材３３Ｂをビス止め固定する。この状態で、吐水部材３１の配管部３１Ｆは、その伸縮方向が、ガイド溝３３８の延在方向、即ち前後方向に沿って配置されている。スライドブラケット３２のレール部３２２による天井筐体３３のスライド方向と、天井筐体３３に対する配管部３１Ｆの伸縮方向（突没方向）とが平行に設けられている。
【００６１】
天井筐体３３は、スライド方向の開口部３３４が、浴室内壁面２Ａと対向する格好で、スライドブラケット３２のガイド溝３３８の前端部に、天井筐体３３のガイドピン３２３を挿通し、スライドブラケット３２のレール部３２２に係止して、天井筐体３３を前方にスライドさせる。すると、ガイドピン３２３が、ガイド溝３３８の前端から後方に移動され、位置決め部３３９Ａのピン係止部３４２の前方側の端部３４３に当接する。さらに移動するに伴って、ガイドピン３２３が、一対のバネ部材３４、３４を弾性変形させて、ピン係止部３４２にて係止される。こうして、図１２（Ａ）に示すように、天井筐体３３は作業位置に位置することとなる。この状態で、配管部３１Ｆの第二配管８２を引き出して、第二配管８２の前端部、即ち係合部８９が、天井筐体３３の開口部３３４から前方に突出した突出状態にする。この後、図１１（Ｂ）、１２（Ｂ）に示すように、第二配管８２の係合部８９を公知の固定方法で給水管２２に係合して接続する。最後に、図１１（Ｃ）、図１２（Ｃ）に示すように、天井筐体３３を、前方にスライドさせる。すると、ガイドピン３２３が、ガイド溝３３８の後方に移動され、位置決め部３３９Ｂのピン係止部３４２の前方側の端部３４３に当接する。さらに移動するに伴って、ガイドピン３２３が、一対のバネ部材３４、３４を弾性変形させて、ピン係止部３４２にて係止される。また、配管部３１Ｆの第二配管８２が押し込まれ、第二配管８２の係合部８９が、天井筐体３３の開口部３３４よりも後方側に没する押込み状態（収容状態）となる。こうして、天井筐体３３は取付位置に位置することとなる。こうして、壁面筐体２１の上端縁と、筐体下部材３３Ａの開口部３３４を構成する周縁とが接触され、開口部３３４が塞がれて、オーバーヘッドシャワー部１４が組み立てられる。
【００６２】
なお、上述した実施形態では、天井筐体３３が作業位置に位置した状態で、配管部３１Ｆを、第二配管８２が引き出して、第二配管８２の係合部８９が、天井筐体３３の開口部３３４から前方に突出した突出状態にしているが、本発明はこれに限定されるものではない。天井筐体３３が作業位置に位置する前に、配管部３１Ｆを、予め第二配管８２が引き出して突出状態にしておいてもよい。
【００６３】
また、上述した実施形態では、第一配管８１に第二配管８２が挿入されることで、配管部３１Ｆが、管軸方向に伸縮可能に構成されているが、本発明はこれに限定されるものではない。配管部３１Ｆは、その一部が蛇腹状に形成されることで、管軸方向に伸縮可能に構成されていてもよく、また、その余長部分が不図示の収容部に収容されることで、管軸方向に伸縮可能に構成されていてもよい。
【００６４】
また、上述した実施形態では、一対のバネ部材３４、３４は、針金状のバネ材から構成されていたが、本発明はこれに限定されるものではない。一対のバネ部材は、板バネから構成されていてもよく、ガイドピン３２３を係脱自在に係止するような凹凸形状を有して構成されていてもよい。一対のバネ部材は、位置決め手段として機能することが好ましいが、さらに、天井筐体３３が作業位置にあるか、取付位置にあるか通知する通知手段として機能するものであってもよい。
【００６５】
上述した実施形態によれば、浴室天井面３Ａ（設置対象部）に取り付け可能な天井筐体３３（カバー部）の内側に収容状態とした配管部３１Ｆが収容可能に構成されているので、天井筐体３３を浴室天井面３Ａに取り付けた設置状態においては、配管部３１Ｆが天井筐体３３に覆われて隠蔽されることとなる。従って、オーバーヘッドシャワー部１４（吐水装置）の外観としては、天井筐体３３のデザインを種々選択することによって意匠を統一することができ、設計自由度を向上させることができる。さらに、配管部３１Ｆの端部を天井筐体３３から突出させた突出状態とすることで、この配管部３１Ｆと給水管２２との接続作業を容易に実施することができ、設置作業の作業性を向上させることができる。
【００６６】
また、オーバーヘッドシャワー部１４（吐水装置）では、配管部３１Ｆは、吐水部材３１（吐水部）に連結される第一配管８１と、給水管２２に接続される第二配管８２と、を有し、該第一配管８１に対して該第二配管８２が管軸方向に沿って進退自在に支持されている。この構成によれば、第一配管８１に対して第二配管８２が管軸方向に沿って進退自在に支持された配管部３１Ｆを備えることで、第二配管８２を直線的に進退移動させるだけで容易に押込み状態（収容状態）と引出し状態（突出状態）とを切り替えることができ、給水管２２への接続作業から天井筐体３３の設置作業に迅速に移行できて作業性をさらに向上させることができる。また、押込み状態において、第一配管８１と第二配管８２とが重なって配管部３１Ｆの全長が短縮されることで、配管部３１Ｆを収容するために必要な天井筐体３３内部のスペースが削減でき、オーバーヘッドシャワー部１４が大型化することが防止できる。
【００６７】
また、オーバーヘッドシャワー部１４（吐水装置）では、浴室天井面３Ａ（設置対象部）に設けられて天井筐体３３（カバー部）を支持するスライドブラケット３２（支持部）をさらに備え、スライドブラケット３２は、天井筐体３３をスライドさせつつ取り付け可能なレール部３２２を有するとともに、該レール部３２２によるスライド方向と天井筐体３３に対する配管部３１Ｆの突没方向とが平行に設けられている。この構成によれば、浴室天井面３Ａに設けられるスライドブラケット３２がレール部３２２を有し、このレール部３２２に沿ってスライドさせつつ天井筐体３３が取り付け可能であることで、天井筐体３３の設置作業を円滑に実施することができる。さらに、レール部３２２による天井筐体３３のスライド方向と、天井筐体３３に対する配管部３１Ｆの突没方向と、が平行に設けられているので、天井筐体３３の設置作業に伴って配管部３１Ｆの端部を天井筐体３３に収容することができ、設置作業における工数を削減して作業性をより一層高めることができる。
【００６８】
また、オーバーヘッドシャワー部１４（吐水装置）では、天井筐体３３（カバー部）は、配管部３１Ｆと給水管２２との接続作業が実施可能な作業位置と、浴室天井面３Ａ（設置対象部）に対して所定の取付状態となる取付位置と、に亘ってスライドブラケット３２（支持部に対してスライド可能に設けられ、スライドブラケット３２及び天井筐体３３には、該天井筐体３３が作業位置及び取付位置の少なくとも一方の位置にて位置決めする位置決め部３３９（位置決め手段）が設けられている。この構成によれば、天井筐体３３が作業位置や取付位置において位置決め部３３９によって位置決めされることで、配管部３１Ｆと給水管２２との接続作業や浴室天井面３Ａに対する天井筐体３３の取付作業を容易に実施することができ、作業性を向上させることができる。
【００６９】
なお、上述した実施形態では、シャワー装置１０にカラン部１２、ハンドシャワー部１３、打たせ湯部１５、オーバーヘッドシャワー部１４が設けられていたが、本発明の浴室ユニット（浴室）１は、オーバーヘッドシャワー部１４（オーバーヘッドシャワー）を備えて構成されていればよく、カラン部１２、ハンドシャワー部１３、打たせ湯部１５を省略することができる。
【００７０】
また、上述した実施形態では、オーバーヘッドシャワー部１４は、浴室内壁面２Ａに設けられる装置本体１１と連続して浴室天井面３Ａに設けられていたが、このような構成に限らず、オーバーヘッドシャワーが独立して浴室天井面３Ａや浴室内壁面２Ａに設けられていてもよい。また、本発明の吐水装置は、浴室に設けられるものに限らず、浴槽を備えないシャワー室などに設けられていてもよい。
【００７１】
続いて、本発明の変形例に係る吐水装置について、図１３を参照して説明する。図１３は、本発明の変形例に係る吐水装置を示す斜視図である。なお、図１３において、上述した実施形態と同一構成乃至同一機能を有する部分には、同一符号を付して説明を省略する。
【００７２】
吐水装置１１０は、図１３に示すように、洗面台又は台所のシンク（以下、設置台１０３と記す）に設置されるものであり、給水管１２２に接続されることで湯水を通水可能な配管部１３１Ｆと、配管部１３１Ｆに連結されて湯水を吐水する吐水部１３１と、吐水口１６３を有するカバー部１３３と、を備えて構成されている。
【００７３】
配管部１３１Ｆは、吐水部１３１に連結される筒状の第一配管１８１と、この第一配管１８１に挿入されて給水管１２２に接続される第二配管１８２と、を備え、第二配管１８２が第一配管１８１に挿入された状態で、第二配管１８２は抜け止めされている。
【００７４】
このような吐水装置１１０は、図１３（Ａ）に示すように、第二配管１８２の端部がカバー部１３３から突出する突出状態で、第二配管１８２と給水管１２２とを係合して接続し、そして、第二配管１８２を第一配管１８１に対して押し込んで、図１３（Ｂ）に示すように、第二配管１８２の端部がカバー部１３３の前端よりも、後方側に没する収容状態にする。こうして吐水装置１１０が組み立てられる。これによれば、上述した実施形態と同様の効果が奏される。
【００７５】
続いて、本発明の他の変形例に係る吐水装置について、図１４を参照して説明する。図１４は、本発明の変形例に係る吐水装置を示す斜視図である。なお、図１４において、上述した実施形態と同一構成乃至同一機能を有する部分には、同一符号を付して説明を省略する。
【００７６】
図１４に示すように、吐水装置２１０は、浴室内壁面２Ａに設置されるものであり、２つのハンドルによって、湯水の混合、及び、吐水、止水を行う混合水栓（一つの吐水口から、湯と水を混合して出す水栓金具）を有して構成されている。吐水装置２１０は、湯又は水が給水される一対の給水管２２２、２２２に接続されることで湯水を通水可能な一対の配管部２３１Ｆ、２３１Ｆと、各配管部２３１Ｆに連結されて湯水を吐水する吐水部２３１と、一つの吐水口２６３を有するカバー部２３３と、を備えている。
【００７７】
各配管部２３１Ｆは、吐水部２３１に連結される筒状の第一配管２８１と、この第一配管２８１に挿入されて給水管２２２に接続される第二配管２８２と、を備え、第二配管２８２が第一配管２８１に挿入された状態で、第二配管２８２は抜け止めされている。
【００７８】
このような吐水装置２１０は、図１４（Ａ）に示すように、第二配管２８２の端部がカバー部２３３から突出する突出状態で、第二配管２８２と給水管２２２とを係合して接続し、そして、第二配管２８２を第一配管２８１に対して押し込んで、図１４（Ｂ）に示すように、第二配管２８２の端部がカバー部２３３の前端よりも、後方側に没する収容状態にする。こうして吐水装置２１０が組み立てられる。これによれば、上述した実施形態と同様の効果が奏される。
【００７９】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の吐水装置、浴室、及び、吐水装置の取付方法の構成を具備する限り、勿論、本発明の範疇に含まれるものである。
【符号の説明】
【００８０】
１          浴室ユニット（浴室）
３Ａ        浴室天井面（設置対象部）
１４        オーバーヘッドシャワー部（吐水装置、オーバーヘッドシャワー）
２２        給水管
３１        吐水部材（吐水部）
３３        天井筐体（カバー部）
３１Ｆ      配管部
８９        配管部の端部
【図１】
2016002241.tif 000003
【図２】
2016002241.tif 000004
【図３】
2016002241.tif 000005
【図４】
2016002241.tif 000006
【図５】
2016002241.tif 000007
【図６】
2016002241.tif 000008
【図７】
2016002241.tif 000009
【図８】
2016002241.tif 000010
【図９】
2016002241.tif 000011
【図１０】
2016002241.tif 000012
【図１１】
2016002241.tif 000013
【図１２】
2016002241.tif 000014
【図１３】
2016002241.tif 000015
【図１４】
2016002241.tif 000016